(57)【要約】【課題】妨害信号に埋もれた希望信号を全受信帯域スキャンするための時間を短縮することを目的とするものである。【解決手段】混合器１９の出力には狭帯域フィルタ２７と、この狭帯域フィルタ２７の出力が接続された検波器２８と、この検波器２８の出力が接続された受信信号レベル出力端子２９とを設け、狭帯域フィルタ２７の帯域幅は、中間周波フィルタ２２の帯域幅より狭くしたものである。これにより、初期の目的を達成することができる。【選択図】図１
2006229675.tif 000002
【特許請求の範囲】
【請求項１】
希望信号の近傍に大きな妨害信号が存在する高周波信号を受信する高周波受信装置であって、前記高周波受信装置は、前記高周波信号が入力される入力端子と、この入力端子に入力された前記高周波信号が一方の入力に供給されるとともに、他方の入力には局部発振器の出力が接続された混合器と、この混合器の出力が供給される中間周波フィルタと、この中間周波フィルタの出力が接続された出力端子と、前記局部発振器に接続されたＰＬＬ回路と、このＰＬＬ回路にデータを供給するデータ端子とを備え、前記混合器の出力には狭帯域フィルタと、この狭帯域フィルタの出力が接続された検波器と、この検波器の出力が接続された受信信号レベル出力端子とを設け、前記狭帯域フィルタの帯域幅は、前記中間周波フィルタの帯域幅より狭くした高周波受信装置。
【請求項２】
混合器と狭帯域フィルタとの間には、リミッタが設けられた請求項１に記載の高周波受信装置。
【請求項３】
リミッタとＰＬＬ回路とを接続するとともに前記リミッタの振幅制限値をデータ端子から任意に変えることができる請求項２に記載の高周波受信装置。
【請求項４】
狭帯域フィルタの帯域幅を可変制御可能とするとともにＰＬＬ回路から出力される信号で前記狭帯域フィルタの帯域幅を制御する請求項１に記載の高周波受信装置。
【請求項５】
希望信号の近傍に大きな妨害信号が存在する高周波信号を受信する高周波受信装置であって、前記高周波受信装置は、前記高周波信号が入力される入力端子と、この入力端子に入力された前記高周波信号が一方の入力に供給されるとともに、他方の入力には第１の局部発振器の出力が接続された第１の混合器と、この第１の混合器の出力が供給される中間周波フィルタと、この中間周波フィルタの出力が一方の入力に供給されるとともに他方の入力には第２の局部発振器の出力が接続された第２の混合器と、この第２の混合器の出力が接続された出力端子と、前記第１の局部発振器に接続されたＰＬＬ回路と、このＰＬＬ回路にデータを供給するデータ端子とを備え、前記第１の混合器の出力には狭帯域フィルタと、この狭帯域フィルタの出力が接続された検波器と、この検波器の出力が接続された受信信号レベル出力端子とを設け、前記狭帯域フィルタの帯域幅は、前記中間周波フィルタの帯域幅より狭くした高周波受信装置。
【発明の詳細な説明】
【技術分野】
【０００１】
本発明は、希望信号の近傍に大きな妨害信号が存在する高周波信号を受信する高周波受信装置に関するものである。
【背景技術】
【０００２】
以下、従来の高周波受信装置について説明する。従来の高周波受信装置は、図５に示すような構成となっていた。即ち、高周波信号が入力する入力端子１と、この入力端子１に接続された高周波フィルタ２と、この高周波フィルタ２の出力が接続された高周波増幅器３と、この高周波増幅器３の出力が接続された段間フィルタ４と、この段間フィルタ４の出力が一方の入力に供給されるとともに、他方の入力には局部発振器５の出力が接続された混合器６と、この混合器６の出力が接続された中間周波フィルタ７と、この中間周波フィルタ７の出力が接続された出力端子８と、局部発振器５に接続されたＰＬＬ回路９と、このＰＬＬ回路９にデータを供給するデータ端子１０とで構成されていた。
【０００３】
以上のように構成された高周波受信装置について、以下にその動作を説明する。入力端子１から入力された高周波信号は、高周波フィルタ２と高周波増幅器３と段間フィルタ４を介して混合器６の一方の入力に供給される。混合器６では、局部発振器５から出力される発振信号と混合されて中間周波数が得られる。この中間周波数は中間周波フィルタ７で希望信号の中間周波数のみ出力端子８に出力される。
【０００４】
また、異なる希望信号を得るには、データ端子１０から入力されるデータに基づいてＰＬＬ回路９で局部発振器５の発振周波数を制御することにより該当する希望信号を選局する。
【０００５】
このようにして、入力端子１に入力される高周波信号の内、全帯域における受信可能な希望チャンネルを知ることができる。即ち、データ端子１０にデータを順次入力して高周波信号の全帯域をスキャンし、その時の出力端子８から出力される信号の全てについてＳ／ＮやＣ／Ｎ処理をした後、受信可能信号があるか否かを判別する。
【０００６】
なお、この出願の発明に関連する先行技術文献情報としては、例えば、特許文献１が知られている。
【特許文献１】特開平６−１４０８５４号公報
【発明の開示】
【発明が解決しようとする課題】
【０００７】
しかしながらこのような従来の高周波受信装置では、高周波信号のＳ／ＮやＣ／Ｎ処理をした後でないと受信可能信号があるか否かを判別することはできなかった。まして、全帯域に渡って受信可能信号を知るには、時間がかかるという問題があった。
【０００８】
即ち、図６に示すように、１３を中間周波フィルタ７の通過特性とし、高周波信号の希望信号１１に近接して大きな妨害信号１２が存在する状況においては、以下のような問題が発生する。即ち、希望信号１１と併せて近傍に存在する大きな妨害信号１２も中間周波フィルタ７を通過してしまう。このように、希望信号１１の近傍に大きな妨害信号１２があると、希望信号１１はこの妨害信号１２に埋もれてしまうことになる。つまり妨害信号１２が支配的となり、小さなレベルの希望信号１１が存在するか否かを判別するには、Ｓ／ＮやＣ／Ｎ処理をした後でないと受信可能信号があるか否かを判別することはできなかった。即ち、出力端子８に接続される復調装置等においては、Ｓ／ＮやＣ／Ｎ処理、あるいはＢＥＲ（ビットエラーレート）検出を行わなければならず、そのために長時間を要していた。
【０００９】
そこで本発明は、この問題を解決したもので、短時間で受信信号が有るか否かを判別することができる高周波受信装置を提供することを目的としたものである。
【課題を解決するための手段】
【００１０】
この目的を達成するために本発明の高周波受信装置は、混合器の出力には狭帯域フィルタと、この狭帯域フィルタの出力が接続された検波器と、この検波器の出力が接続された受信信号レベル出力端子とを設け、前記狭帯域フィルタの帯域幅は、中間周波フィルタの帯域幅より狭くしたものである。これにより、初期の目的を達成することができる。
【発明の効果】
【００１１】
本発明の高周波受信装置によれば、混合器の出力には狭帯域フィルタと、この狭帯域フィルタの出力が接続された検波器と、この検波器の出力が接続された受信信号レベル出力端子とを設け、前記狭帯域フィルタの帯域幅は、中間周波フィルタの帯域幅より狭くしたものである。従って、受信信号レベル出力端子からは、妨害信号が出力されることはなく、受信可能な希望信号のみが出力されることになる。従って、この高周波受信装置に接続される復調装置等においては、この受信信号レベル出力端子から出力される信号のレベルを用いるのみで、即受信可能か否かを判断することができる。即ち、Ｓ／ＮやＣ／Ｎ或いはＢＥＲ検出処理をする前に判断することができ、全受信帯域に渡って短時間で受信可能信号があるか否かを判別をすることができる。
【発明を実施するための最良の形態】
【００１２】
以下、希望信号の近傍に大きな妨害信号が存在する高周波受信装置の実施の形態について図面に基づいて説明する。
【００１３】
（実施の形態１）
図１は本発明の実施の形態１における高周波受信装置のブロック図である。図１において、１５は希望信号１１（図２参照）の近傍に大きな妨害信号１２が存在する高周波信号が入力される入力端子である。
【００１４】
この入力端子１５は高周波フィルタ１６を介して高周波増幅器１７の入力に接続されている。この高周波増幅器１７の出力は、段間フィルタ１８を介して混合器１９の一方の入力に接続されている。また、この混合器１９の他方の入力には、局部発振器２０の出力が接続されている。
【００１５】
混合器１９の出力には、バッファ増幅器２１が接続されており、このバッファ増幅器２１の出力は、中間周波フィルタ２２を介して出力端子２３に接続されている。
【００１６】
２４は、データ端子であり、このデータ端子２４は、ＰＬＬ回路２５のデータ入力に接続されている。また、局部発振器２０の出力はこのＰＬＬ回路２５の入力に接続されるとともに、その出力は局部発振器２０の入力と段間フィルタ１８の制御端子に接続されている。
【００１７】
ここで、混合器１９の出力である中間周波数は５０ＭＨｚとしている。従って、この場合の中間周波フィルタ２２の中心周波数は５０ＭＨｚであり、通過帯域幅は６ＭＨｚのものを用いている。
【００１８】
また、混合器１９の出力は、バッファ機能を有するリミッタ２６にも接続されており、このリミッタ２６の出力は、狭帯域フィルタ２７を介して検波器２８に接続されている。この検波器２８の出力は受信信号レベル出力端子２９に接続されている。
【００１９】
中間周波フィルタ２２の帯域幅は、希望信号１１の帯域幅（６ＭＨｚ）に略等しくなっている。また、狭帯域フィルタ２７の中心周波数は中間周波フィルタ２２と同様に５０ＭＨｚであり、その帯域幅は、５００ＫＨｚとしている。即ち、中間周波フィルタ２２の帯域幅の略１０分の１としている。従って、１セグメントのみを通過させるフィルタを使用することができる。即ち、狭帯域フィルタ２７は改めて設計する必要がなく、１セグメント高周波受信装置等に使用される１セグメントフィルタをそのまま用いることもできる。このことにより、設計の効率化と低価格化を図ることができる。重要なことは、狭帯域フィルタ２７の帯域幅は、中間周波フィルタ２２の帯域幅より狭くすることである。
【００２０】
なお、受信信号レベル出力端子２９の出力に適正なレベルを得るために、狭帯域フィルタ２７と検波器２８の間、或いは検波器２８と受信信号レベル出力端子２９との間、或いは混合器１９とリミッタ２６との間に増幅器を挿入しても良い。
【００２１】
また、リミッタ２６の入力は中間周波フィルタ２２の出力に接続しても良い。この場合、帯域外の妨害信号の抑圧度を更に大きくすることができる。
【００２２】
以上のように構成された高周波受信装置について、以下にその動作を説明する。入力端子１５から入力された高周波信号は、高周波フィルタ１６と高周波増幅器１７と段間フィルタ１８を介して混合器１９の一方に入力される。そして、混合器１９では局部発振器２０から出力される発振信号と混合されて中間周波数を得る。この中間周波数は中間周波フィルタ２２で希望信号の中間周波数のみが選択されて出力端子２３に伝達される。全受信帯域の中から希望信号を得るには、データ端子２４から入力されるデータに基づいてＰＬＬ回路２５で局部発振器２０の発振周波数を制御することにより希望信号が得られる。
【００２３】
入力端子１５に入力される高周波信号の内、全帯域において受信可能な希望信号の有無を知るには、データ端子２４にデータを順次入力して高周波信号の全帯域をスキャンする。そして、受信信号レベル出力端子２９から出力される信号が予め定められた値以上の場合には、受信可能と判別している。従って、従来のように、この高周波受信装置に接続される復調装置等では、出力端子２３から出力される信号のＳ／ＮやＣ／Ｎ処理をした後、受信可能信号があるか否かを判別する必要はなく、この受信信号レベル出力端子２９から出力される信号のレベルのみで、即希望信号が有るか否かを判断することができる。従って、スキャン時間の短時間化を図ることができる。
【００２４】
希望信号の近傍に大きな妨害信号が有る場合について図２を用いて説明する。図２において、横軸３３は周波数であり、縦軸３４はレベルである。また、１１は希望信号であり、大きな妨害信号１２がこの希望信号１１に近接して存在している。ここで、３１は中間周波フィルタ２２の通過特性であり、３２は狭帯域フィルタ２７の通過特性である。中間周波フィルタ２２の通過特性３１は、希望信号１１の帯域幅情報の全てを通過させるために、６ＭＨｚの通過帯域幅を有している。従って、通過帯域幅が広くなっており、この希望信号１１に近接して大きな妨害信号１２が存在すると、この妨害信号１２も通過してしまう。
【００２５】
しかし、狭帯域フィルタ２７の通過特性３２は狭く、希望信号１１の帯域幅の一部のみ通過させて狭帯域化信号１１ａとするものであり、たとえ大きな妨害信号１２が近接して存在したとしても、この妨害信号１２の通過は阻止される。この狭帯域フィルタ２７から出力される狭帯域化信号１１ａは、検波器２８によって検波されることになる。この狭帯域化信号１１ａによる検波された電圧が、受信信号レベル出力端子２９から出力される。この受信信号レベル出力端子２９から出力される電圧レベルにより、予め定められたレベル以上の場合には、出力端子２９から出力される希望信号１１が受信できると判定することができる。
【００２６】
図３は、入力端子１５へ入力される高周波信号の入力レベル３５と、受信信号レベル出力端子２９からの出力レベル３６を示した特性曲線３７である。例えば、入力端子１５へ入力される高周波信号の入力レベル３５として−１００ｄＢｍから０ｄＢｍを受信する場合を以下に説明する。
【００２７】
図３において、特性曲線４４に示すように約−５０ｄＢｍの入力レベル４１から約０ｄＢｍの入力レベル４５までは、混合器１９からの出力レベルが一定レベルになるように、高周波増幅器１７が利得制御を行う。即ち、ＲＦＡＧＣ（高周波自動利得制御）が働くようにしている。
【００２８】
さらに、特性曲線４２に示すように約−７５ｄＢｍの入力レベル３９から約−５０ｄＢｍの入力レベル４１までは、この高周波受信装置の出力端子２３の接続された復調装置内の中間周波増幅器によって利得制御される。すなわち、ＩＦＡＧＣ（中間周波自動利得制御）が働くようにしている。
【００２９】
さらに、特性曲線３７に示すように約−１００ｄＢｍの入力レベル３８から約−７５ｄＢｍの入力レベル３９までは、この高周波受信装置の出力端子２３の接続された復調装置内の中間周波増幅器の後段に接続された低周波用増幅器によって利得制御される。すなわち、ＢＢＡＧＣ（ベースバンド自動利得制御）が働くようにしている。
【００３０】
以上のように入力端子１５に入力される入力レベル３５の大きさに応じて、ＲＦＡＧＣ、ＩＦＡＧＣ、ＢＢＡＧＣで利得制御を行い、その結果として、高周波増幅器１７、混合器１９における歪みを低減している。本実施の形態では、ＰＬＬ回路２５からリミッタ２６に設けられるとともに入力信号の振幅値を制御する制御端子２６ａと、狭帯域フィルタ２７に設けられるとともに通過帯域幅を制御する制御端子２７ａに接続されているので、データ端子２４からのデータ入力により、リミッタ２６に入力される信号の振幅値の制御と狭帯域フィルタ２７の帯域幅の制御をすることができる。なお、本実施の形態では、混合器１９の出力にリミッタ２６、狭帯域フィルタ２７、検波器２８とで受信信号検出回路３０としている。
【００３１】
これにより、受信信号レベル出力端子２９からは、約−１００ｄＢｍの入力レベル３８から約−７５ｄＢｍの入力レベル３９の範囲とした低い入力レベル３５である狭帯域化信号１１ａのレベルを正確に出力することができるものである。
【００３２】
さらに、約−７５ｄＢｍの入力レベル３９より大きな信号が入力された場合には、リミッタ２６で振幅制限をかけて、特性曲線３７ａに示すように一定の出力４０を出力するようにしている。
【００３３】
このように、たとえ大きな妨害信号１２が小さな希望信号１１の近傍に存在していたとしても、狭帯域フィルタ２７によって大きな妨害信号１２を十分に抑圧するとともに、狭帯域化信号１１ａのみを通過させることができる。従って、狭帯域化信号１１ａによって希望信号１１のレベルを正確に検出することができる。
【００３４】
また、リミッタ２６では、このリミッタ２６に入力される振幅制限値を変えることにより任意の大きさの信号をリミッタ２６から出力できる。例えば、データ端子２４からＰＬＬ回路２５を介してリミッタ２６の制御端子２６ａへ制御データを入力することにより、このリミッタ２６の振幅制限値が設定可能となる。
【００３５】
すなわち、このリミッタ２６の振幅制限値を特性曲線３７、４２上の任意の入力レベル３５に設定し、この任意の入力レベル３５以下の出力レベルを受信信号レベル出力端子２９から出力することができる。例えば、ＢＢＡＧＣに加えてＩＦＡＧＣによる制御範囲まで広げた入力レベル３５まで対応させることができる。これにより、入力レベル３９以上の希望信号１１に対しては、この希望信号１１と妨害信号１２のレベルの比を大きくすることができる。従って、スキャン時間を短縮できるとともに、選局の信頼度を向上させることができる。
【００３６】
なお、本実施の形態における高周波受信装置は、バッファ増幅器２１とリミッタ２６を設けているので、混合器１９の出力を、互いに影響させることなく独立して中間周波フィルタ２２と狭帯域フィルタ２７に供給することができる。
【００３７】
また、狭帯域フィルタ２７の帯域幅は、データ端子２４からＰＬＬ回路２５を介して狭帯域フィルタ２７の制御端子２７ａに入力することにより、この狭帯域フィルタ２７の帯域幅を可変することができる。これにより、狭帯域フィルタ２７の帯域幅を任意に可変できる。従って、例えば１ｓｅｇ、３ｓｅｇ、１３ｓｅｇ等の帯域幅の異なる受信信号に対しても、対応できるものである。
【００３８】
（実施の形態２）
図４は、実施の形態２における高周波受信装置のブロック図である。実施の形態２においては、ダブルスーパーの高周波受信装置を用いた点で実施の形態１と相違する。このダブルスーパーを用いた以外の点については、実施の形態１と同様であり同じものについては同符号を付して説明を簡略化している。
【００３９】
図４において、実施の形態１と異なるところは、高周波増幅器１７の出力が段間フィルタ１８を介さずに混合器１９ｓの一方の入力に接続されている。また、中間周波フィルタ２２ｓの出力は混合器４６の一方の入力に接続されるとともに、他方の入力には局部発振器４７の出力が接続されている。また、混合器４６の出力はフィルタ４８を介して出力端子４９に接続されている。
【００４０】
実施の形態２における高周波受信装置はダブルスーパーであるので、イメージ妨害信号の影響を受け難いという特徴を有している。また、混合器１９ｓの出力である中間周波数は１２００ＭＨｚであり、混合器４６の出力は５０ＭＨｚとしている。従って、この場合の中間周波フィルタ２２ｓの中心周波数は１２００ＭＨｚであり、通過帯域幅は６ＭＨｚである。また、狭帯域フィルタ２７ｓも中心周波数が１２００ＭＨｚであり、通過帯域幅は５００ＫＨｚである。なお、実施の形態１と同じ機能を有するもので、扱う周波数のみ異なるものについては添え字ｓを付して説明を簡略化している。
【００４１】
また、フィルタ４８の中心周波数は５０ＭＨｚであり、通過帯域幅は６ＭＨｚである。なお、この混合器４６の代わりにダイレクトコンバージョンを用いても良い。
【産業上の利用可能性】
【００４２】
本発明の高周波受信装置は、たとえ希望信号の近傍に大きな妨害信号が存在していたとしても希望信号レベルを正確に出力することができるので、高周波受信装置として有用である。
【図面の簡単な説明】
【００４３】
【図１】本発明の実施の形態１における高周波受信装置のブロック図
【図２】同、入力信号波形図
【図３】同、入力レベルと出力レベルの波形図
【図４】同、実施の形態２における高周波受信装置のブロック図
【図５】従来の高周波受信装置のブロック図
【図６】同、入力信号波形図
【符号の説明】
【００４４】
１１  希望信号
１２  妨害信号
１５  入力端子
１９  混合器
２０  局部発振器
２２  中間周波フィルタ
２３  出力端子
２４  データ端子
２５  ＰＬＬ回路
２７  狭帯域フィルタ
２８  検波器
２９  受信信号レベル出力端子
【図１】
2006229675.tif 000003
【図２】
2006229675.tif 000004
【図３】
2006229675.tif 000005
【図４】
2006229675.tif 000006
【図５】
2006229675.tif 000007
【図６】
2006229675.tif 000008